(57)【特許請求の範囲】
【請求項１】
容器体口頚部に嵌合させる装着キャップ４と、該キャップ上方に嵌着固定するとともに、装着キャップ上端から起立した縦筒５の中間部からシリンダ６を、その上部からは射出筒７をそれぞれ前方へ突設してなるポンプ本体８と、上記射出筒前部から揺動可能に垂設するとともに、上記シリンダ内に前方付勢状態で嵌合させたプランジャ１１の先端部にその上部を連携させたトリガー１２とを備え、該トリガーの操作により内蔵ポンプ機構の作用で容器体内の液を吸い上げて射出筒先端部の噴出口より噴出する如く構成したトリガー式液体噴出器に於いて、上記トリガーに摺動下降可能に嵌合させた基部Ａより後方へ係止部Ｂを突設するとともに、該係止部の後面をシリンダ６前面に当接させてトリガーの引き込みを防止し、且つ、上記基部を摺動下降させた際に係止部Ｂ後面とシリンダ６前面との当接が外れてトリガーの引き込みを可能に構成した作動防止部材１６を設けてなることを特徴とするトリガー式液体噴出器。
【請求項２】
上記基部Ａが、トリガー１２前面より両側面を覆うカバー状をなすとともに、その前板部１９裏面より突設した係合突条２２をトリガー前壁１２ａ  中央部に縦設した案内切り溝１８に上下摺動可能且つ抜け出し不能に嵌合させた基部Ａであり、上記係止部Ｂが、上記基部Ａの両側板部２０後面上部よりそれぞれ後方へ突出してその後面をシリンダ６前面下部に当接させた一対の縦板状の係止部Ｂである請求項１記載のトリガー式液体噴出器。
【請求項３】
上記基部Ａが、トリガー１２後面に開口した縦長凹部Ｃの奥面に前面を当接させて摺動下降可能に嵌合させた前板２４両側縁より後方へそれぞれ側板２５，２５を延設するとともに、各側板後端縁を凹部Ｃ内両側面後縁部にそれぞれ縦突設した係止突条２６に摺動下降可能に係合させ、且つ、裏面中央部より後方へ指掛け用突起２７を突設してなる基部Ａであり、上記係止部Ｂが、前板２４上部より後方へ突設してその後面をシリンダ前面下部に当接させた横板状の係止部Ｂである請求項１記載のトリガー式液体噴出器。
【発明の詳細な説明】
【０００１】
【発明の属する技術分野】
本発明はトリガー式液体噴出器に関する。
【０００２】
【従来の技術】
トリガー式液体噴出器として、容器体口頚部に嵌合させた装着キャップと、該キャップ上方に嵌着固定するとともに、装着キャップ上端から起立した縦筒の中間部からシリンダを、その上部からは射出筒をそれぞれ前方へ突設してなるポンプ本体と、上記射出筒先端に嵌着させたノズルヘッドと、上記射出筒前部から揺動可能に垂設するとともに、上記シリンダ内に前方付勢状態で嵌合させたプランジャの先端部を押し込み可能に連携させたトリガーとを備え、該トリガーの操作により内蔵ポンプ機構の作用で容器体内の液を吸い上げてノズルヘッドの噴出口より噴出する如く構成したものが知られている。
【０００３】
またこの種噴出器では、一般に、不用意なトリガーの操作による液の漏出、或いは商品陳列時における悪戯等の防止を図るために、射出筒前端に設けたノズル嵌合筒にノズルヘッドを回動可能に設けるとともに、両者間にノズルヘッドを回動させることにより液流路の連通が遮断され、元の状態に戻せば連通する開閉機構を設けている。
【０００４】
【発明が解決しようとする課題】
しかしながら、上記した開閉機構を設けたものにあっても、トリガーはプランジャを介して液圧により押し込み不能に係止されているため、液流路閉塞状態のままで度々トリガーを引き寄せると、プランジャの若干の押し込みが可能となり、シリンダ内の異常な高圧化で吐出弁を通って、吐出弁下流の射出筒前方部分内に高圧液体が貯ることがあり、このようになるとノズルヘッドを液流路連通位置まで回したとき、その射出筒前方部分内に貯っていた高圧液体が、トリガー操作を行わなくてもノズル孔から噴出する不都合が生じたり、また、トリガーを強く引き寄せると、射出筒内の高圧化でノズルヘッドがノズル嵌合筒から外れる虞もあった。
【０００５】
本発明は上記した点に鑑みなされたもので、不使用時等にトリガー操作を確実に防止して、上記した不都合を解消することができ、また、その構造も簡単で、取り扱いにも便利な優れたトリガー式液体噴出器を提案するものである。
【０００６】
【課題を解決するための手段】
本請求項１発明の噴出器は上記課題を解決するため、容器体口頚部に嵌合させる装着キャップ４と、該キャップ上方に嵌着固定するとともに、装着キャップ上端から起立した縦筒５の中間部からシリンダ６を、その上部からは射出筒７をそれぞれ前方へ突設してなるポンプ本体８と、上記射出筒前部から揺動可能に垂設するとともに、上記シリンダ内に前方付勢状態で嵌合させたプランジャ１１の先端部にその上部を連携させたトリガー１２とを備え、該トリガーの操作により内蔵ポンプ機構の作用で容器体内の液を吸い上げて射出筒先端部の噴出口より噴出する如く構成したトリガー式液体噴出器に於いて、上記トリガーに摺動下降可能に嵌合させた基部Ａより後方へ係止部Ｂを突設するとともに、該係止部の後面をシリンダ６前面に当接させてトリガーの引き込みを防止し、且つ、上記基部を摺動下降させた際に係止部Ｂ後面とシリンダ６前面との当接が外れてトリガーの引き込みを可能に構成した作動防止部材１６を設けてなることを特徴とするトリガー式液体噴出器として構成した。
【０００７】
また、請求項２発明の噴出器は、上記基部Ａが、トリガー１２前面より両側面を覆うカバー状をなすとともに、その前板部１９裏面より突設した係合突条２２をトリガー前壁１２ａ  中央部に縦設した案内切り溝１８に上下摺動可能且つ抜け出し不能に嵌合させた基部Ａであり、上記係止部Ｂが、上記基部Ａの両側板部２０後面上部よりそれぞれ後方へ突出してその後面をシリンダ６前面下部に当接させた一対の縦板状の係止部Ｂである請求項１記載のトリガー式液体噴出器として構成した。
【０００８】
また、請求項３発明の噴出器は、上記基部Ａが、トリガー１２後面に開口した縦長凹部Ｃの奥面に前面を当接させて摺動下降可能に嵌合させた前板２４両側縁より後方へそれぞれ側板２５，２５を延設するとともに、各側板後端縁を凹部Ｃ内両側面後縁部にそれぞれ縦突設した係止突条２６に摺動下降可能に係合させ、且つ、裏面中央部より後方へ指掛け用突起２７を突設してなる基部Ａであり、上記係止部Ｂが、前板２４上部より後方へ突設してその後面をシリンダ前面下部に当接させた横板状の係止部Ｂである請求項１記載のトリガー式液体噴出器として構成した。
【０００９】
【発明の実施の形態】
以下、本発明の実施例の形態を図面を参照して説明する。
図面に示す如く、本発明のトリガー式液体噴出器１は、容器体２の口頚部３に嵌合させる装着キャップ４と、該キャップ上方に嵌着固定するとともに、装着キャップ上端から起立した縦筒５の中間部からシリンダ６を、その上部からは射出筒７をそれぞれ前方へ突設してなるポンプ本体８と、上記射出筒７先端に嵌着させたノズルヘッド９と、上記シリンダ内にコイルスプリング１０により前方付勢させた状態で嵌合したプランジャ１１と、上記射出筒７前部から揺動可能に垂設するとともに、プランジャ１１の先端部にその上部を連携させたトリガー１２とを備え、該トリガーの操作により内蔵ポンプ機構の作用で容器体内の液を吸い上げてノズルヘッド９の噴出口より噴出する如く構成している。
【００１０】
上記ポンプ機構として、例えば、縦筒５下端に容器体内へ垂下させるパイプ１３を嵌着し、また、縦筒５とシリンダ６内を連通するとともに、縦筒５と射出筒７を連通させてパイプ１３より射出筒５に至る液流路を形成し、シリンダの上流には吸い込み弁１４を、その下流には吐出弁１５をそれぞれ備え、上記プランジャ１１の押し込みにより加圧されたシリンダ６内の液が吐出弁１５を開いて射出筒７を通りノズルヘッド９の噴出口より噴出するとともに、プランジャ１１の前方移行の際にはシリンダ６内の負圧化により吐出弁１５が閉じ、吸い込み弁１４が開いて容器体内の液をパイプ１３を介してシリンダ６内に導入する如く構成した公知機構のものが採用される。
【００１１】
尚、本実施例では、ノズルヘッド前面を開閉自在に閉塞する蓋板を設けている。また、上記ノズルヘッド９を射出筒７先端のノズル嵌合筒に回動可能に設けるとともに、ノズル嵌合筒及びノズルヘッド間にノズルヘッドを回動させることにより液流路の連通が遮断され、元の状態に戻せば連通する公知の開閉機構を設けているが、単にノズルヘッドを固定したものであっても良い。また、上記噴出器の各部材は主として合成樹脂により形成することが出来、必要に応じてエラストマー，金属等を併用することが出来るものである。
【００１２】
本発明はこの種噴出器に於いて、特殊構成の作動防止部材１６を設けている。
この作動防止部材１６は、上記トリガー１２に摺動下降可能に嵌合させた基部Ａより後方へ係止部Ｂを突設するとともに、該係止部の後面をシリンダ６前面に当接させてトリガーの引き込みを防止し、且つ、上記基部を摺動下降させた際に係止部Ｂ後面とシリンダ６前面との当接が外れてトリガーの引き込みを可能に構成している。
【００１３】
この様な作動防止部材１６を設けることにより、無理にトリガー１２を引いても、上記係止部Ｂ後面がシリンダ６前面に当接係止されているため、プランジャ１１を押圧する部分には力が及ばず、従来の様なプランジャの僅かな後方移行を生じることはなく、従って、液流路の内圧が高くなることもない様に構成している。
【００１４】
図１に示す実施例では、上記トリガー１２を、前壁１２ａ  の両側縁より後方へ両側壁１２ｂ  ，１２ｂ  を延設するとともに、下端縁より方向へ底壁１２ｃ  を延設した後面開口の中空棒状に形成し、前壁１２ａ  裏面上部より後方へ突出した押圧突起１７の先端をプランジャ１１の先端中央部に当接させて押し込み可能に構成している。また、前壁１２ａ  の上部中央には所定長さの案内切り溝１８を穿設している。
【００１５】
また、本実施例に於いて上記基部Ａは、前板部１９両側縁より後方へそれぞれ側板部２０，２０を延設するとともに、下端縁より後方へ底板部２１を延設して、トリガー１２前面より両側面及び下面を覆うカバー状に形成しており、その前板部１９裏面より突設した係合突条２２を上記案内切り溝１８に上下摺動可能且つ抜け出し不能に嵌合させて構成している。本実施例では、図２に示す如く、横断面Ｔ字状に形成された係合突条２２を案内切り溝１８前方より強制的に挿入して、その先端左右突出部分を案内切り溝１８両側のトリガー前壁裏面に係合させて抜け出しの防止を図っている。
【００１６】
また、係止部Ｂは、上記基部Ａの両側板部２０後面上部よりそれぞれ縦板状突起２３を後方へ突出してその後面をシリンダ６前面下部に当接させて構成している。
【００１７】
そして、使用時には基部Ａを摺動下降させると、係止部Ｂも下方へ移行して図１の２点鎖線で示す如く、その後面のシリンダ前面との当接が外れ、トリガーの引き込みが可能となる。
【００１８】
また、図３に示す実施例では、上記基部Ａを、トリガー１２後面に開口した縦長凹部Ｃの奥面に前面を当接させて摺動下降可能に嵌合させた前板２４両側縁より後方へそれぞれ側板２５，２５を延設するとともに、各側板後端縁を凹部Ｃ内両側面後縁部にそれぞれ縦突設した係止突条２６に摺動下降可能に係合させて構成しており、また、前板２４裏面中央部より後方へ指掛け用突起２７を突設している。上記凹部Ｃは、図１の実施例に於けるトリガー前壁１２ａ  ，トリガー両側壁１２ｂ  ，１２ｂ  及びトリガー底壁１２ｃ  により画成している。
【００１９】
また、上記係止部Ｂは、前板２４上部より後方へ横板状突起２８を突設してその後面をシリンダ前面下部に当接させたて構成しており、本実施例では突起後縁より垂壁２９を垂設して当接面を広く構成している。
【００２０】
尚、上記各実施例に於ける作動防止部材１６は、合成樹脂により一体に形成することが可能である。
【００２１】
【発明の効果】
以上説明した如く本発明トリガー式液体噴出器は、既述構成としたことにより、特に、トリガーに摺動下降可能に嵌合させた基部Ａより後方へ係止部Ｂを突設するとともに、該係止部の後面をシリンダ６前面に当接させてトリガーの引き込みを防止し、且つ、上記基部を摺動下降させた際に係止部Ｂ後面とシリンダ６前面との当接が外れてトリガーの引き込みを可能に構成した作動防止部材１６を設けたので、運搬保管時の不用意なトリガーの誤動作或いは悪戯等があっても、ポンプ内の液圧が上がって、様々な不都合を発生するということがなく、しかも、その構造は簡単で容易に製造することができ、また、使用に当たってもスライド下降させるだけであるため容易に行えるという利点を兼ね備えたものである。
【００２２】
また、上記基部Ａが、トリガー１２前面より両側面を覆うカバー状をなすとともに、その前板部１９裏面より突設した係合突条２２をトリガー前壁１２ａ  中央部に縦設した案内切り溝１８に上下摺動可能且つ抜け出し不能に嵌合させた基部Ａであり、上記係止部Ｂが、上記基部Ａの両側板部２０後面上部よりそれぞれ後方へ突出してその後面をシリンダ６前面下部に当接させた一対の縦板状の係止部Ｂである如く構成したものにあっては、作動防止部材１６を設けても従来品と比較して特別大きな構造の変化はなく、しかも、使用の際には作動防止部材の基部がトリガーの一部を兼ねることもでき、トリガーの長さを比較的短く構成することも可能となる。また、トリガーへの装着も前方からの嵌着により行えるため、容易に取り付けることができる。
【００２３】
また、上記基部Ａが、トリガー１２後面に開口した縦長凹部Ｃの奥面に前面を当接させて摺動下降可能に嵌合させた前板２４両側縁より後方へそれぞれ側板２５，２５を延設するとともに、各側板後端縁を凹部Ｃ内両側面後縁部にそれぞれ縦突設した係止突条２６に摺動下降可能に係合させ、且つ、裏面中央部より後方へ指掛け用突起２７を突設してなる基部Ａであり、上記係止部Ｂが、前板２４上部より後方へ突設してその後面をシリンダ前面下部に当接させた横板状の係止部Ｂである如く構成したものにあっては、作動防止部材が殆ど露出せずに装着でき、従来品と変わらぬ外観を呈するとともに、その構造も極めて簡単であるため、製造，取り付けともに容易に行える利点を兼ね備えている。
【図面の簡単な説明】
【図１】本発明トリガー式液体噴出器の一実施例を示す縦断面図である。
【図２】同実施例の作動防止部材の横断面図である。
【図３】本発明トリガー式液体噴出器の他の実施例を示す縦断面図である。
【符号の説明】
２…容器体，３…口頚部，４…装着キャップ，５…縦筒，６…シリンダ，
７…射出筒，８…ポンプ本体，１１…プランジャ，１２…トリガー，
１２ａ  …トリガー前壁，１６…作動防止部材，１８…案内切り溝，１９…前板部，
２０…側板部，２２…係合突条，２４…前板，２５…側板，２６…係止突条，
２７…指掛け用突起，Ａ…基部，Ｂ…係止部，Ｃ…凹部
【図１】
0003583245.tif 000002
【図２】
0003583245.tif 000003
【図３】
0003583245.tif 000004